(57)【特許請求の範囲】
【請求項１】
把握部、及び、ヘラ板を備える地ベラであって、
前記ヘラ板に、小ベラのヘラ板を挿通可能な挿通口が設けられてなる地ベラと、
前記地ベラの挿通口に挿通可能なヘラ板を備える小ベラと、を有する
ことを特徴とする地ベラセット。
【請求項２】
前記挿通口は、前記地ベラのヘラ板の長手方向に、矩形状に設けられてなる請求項１に記載の地ベラセット。
【請求項３】
前記小ベラのヘラ板の側部に、前記地ベラのヘラ板の側部を係入させる切り欠き溝が形成されてなる請求項１または２に記載の地ベラセット。
【請求項４】
前記小ベラのヘラ板は、上端部から下端部に向かって幅が広がるように形成されてなる請求項１〜３の何れか一項に記載の地ベラセット。
【請求項５】
小ベラの把握部の厚みが、前記挿通口の高さより厚いことを特徴とする請求項１〜４の何れか一項に記載の地ベラセット。
【発明の詳細な説明】
【技術分野】
【０００１】
本発明は、通常の地ベラとして使用でき、且つ、目地の入隅部に壁紙を容易に施工することができる地ベラセットに関する。
【背景技術】
【０００２】
従来から、住宅やビル、マンション等の建築物の壁面に、壁紙が施工されている。これらの建築物の壁面では、下地材間に隙間を空けて施工することにより目地（溝）を形成する、いわゆる目地取り施工により下地材が施工され、その上から壁紙が施工される場合がある。
【０００３】
壁面に壁紙を施工するための道具として、例えば、壁紙カット用地ベラが提案されている（特許文献１参照）。
【０００４】
この壁紙カット用地ベラは、ヘラ板３に複数の穴４が設けられており、これにより軽量化を図っている。また、ヘラ板を壁紙に押し当ててカットする際に、本来ヘラ板で死角となる部分の壁紙を穴４から見ることができ、施工中に生じるしわを発見できる。
【０００５】
しかし、上述した壁紙カット用地ベラを用いると、平面に壁紙を施工することは可能であるが、図１３に示すように、目地部１０４に壁紙１０３を施工する場合、ヘラ板１０２で目地部１０４の一方の入隅部１０４ａに施工される壁紙１０３ａを押さえると、他方の入隅部１０４ｂに施工される壁紙１０３ｂが浮いてしまう。この浮き上がりを納めるためには、一方の入隅部１０４ａに施工される壁紙１０３ａを壁紙カット用地ベラ１０１で押さえながら、他方の入隅部１０４ｂに施工される壁紙１０３ｂも他の地ベラで同時に押さえる必要がある。
しかし、このとき、壁紙カット用地ベラ１０１のヘラ板１０２が障害となるため、他方の入隅部１０４ｂに施工される壁紙１０３ｂを同時に押さえることができない。このため、目地部１０４の壁紙１０３を施工するために、多大な労力と時間とを要していた。
【０００６】
上述した問題を解消するために、例えば、クロス貼り用目透かしベラが提案されている（特許文献２参照）。
【０００７】
この目透かしベラは、Ｔ字形に成形した２枚のアルミ板Ａ、Ｂからなり、これらの板が重ねられ、折曲部が蝶着されて形成されているので、２枚のコテ部を天井と壁の接合部に設ける目透かし部（溝）に挿入し、コテ部を開くことにより、クロスを目地部に貼着できる。
【０００８】
しかし、上述した目透かしベラは、２つのコテ部が接合部で連動する構成となっている。このため、目透かし部に壁紙を施工する際に、両方のコテ部を連動して壁紙を同時に押し当てる必要があり、操作が難しい上、目地の広さや深さによっては適切な施工が困難な場合が有り得る。さらに、目透かし部に特化した道具を使用する場合、目透かし部や目地部等の溝状の箇所に壁紙を施工することには適しているものの、それ以外の箇所の壁紙施工に用いることはできない。このため、施工者は、目透かし部等の溝状の部分に壁紙を施工するために上記目透かしベラを用い、それ以外の平面等の箇所に壁紙を施工するために、通常の地ベラを用いる必要がある。２つのヘラを用いると作業が煩雑となり作業効率が低下する上、これらのヘラは重量が重く大きさも大きいため、施工者にとっては搬送や作業の負担となる。
【先行技術文献】
【特許文献】
【０００９】
【特許文献１】登録実用新案第３１２２２３４号公報
【特許文献２】実開平４−２４９４２号公報
【発明の概要】
【発明が解決しようとする課題】
【００１０】
本発明は、上記の事情に鑑みてなされたものであり、通常の地ベラとして使用でき、且つ、目透かし部や目地部等の溝状の箇所に壁紙を施工する際に、一方の入隅部に施工される壁紙を押さえると同時に、挿通口から他方の入隅部に施工される壁紙を押さえることを可能とする地ベラセットを提供することを課題とする。
【課題を解決するための手段】
【００１１】
本発明に係る地ベラセットは、上記の事情に鑑みてなされたものであって、把握部、及び、ヘラ板を備える地ベラであって、上記ヘラ板に、小ベラのヘラ板を挿通可能な挿通口が設けられてなる地ベラと、上記地ベラの挿通口に挿通可能なヘラ板を備える小ベラと、を有することを特徴とする。
【００１２】
かかる構成によれば、通常の地ベラとして使用でき、且つ、目透かし部や目地部等の溝状の箇所に壁紙を施工する際に、一方の入隅部に施工される壁紙を押さえると同時に、挿通口から他方の入隅部に施工される壁紙を操作自在に押さえることを可能とし、目地部の壁紙の施工を容易に行うことができる。
また、平面等の箇所に壁紙を施工する場合には、地ベラのみを通常の地ベラとして使用でき、且つ、目透かし部や目地部等の溝状の箇所を施工する場合には、地ベラを用いて一方の入隅部に施工される壁紙を押さえると同時に、小ベラのヘラ板を、地ベラの挿通口から挿入し、他方の入隅部に施工される壁紙を押さえることが可能となるので、目地部の壁紙の施工を効率良く行うことができる。このことにより、平面等の箇所も目透かし部や目地部も本発明の地ベラセットを用いることで全て施工できるので、部屋全体の施工効率も向上することができる。
【００１３】
また、本発明に係る地ベラセットは、上記挿通口が、上記地ベラのヘラ板の長手方向に、矩形状に設けられてなることが好ましい。
【００１４】
かかる構成によれば、小ベラを、挿通口に沿って、ヘラ板の長手方向に移動させることにより、地ベラで一方の入隅部に施工される壁紙を押さえつつ、他方の入隅部に施工される壁紙を地ベラとの位置を保った状態で独立的に操作することにより効率良く押さえることにより、目透かし部や目地部等の溝状の箇所の壁紙の浮き上がりを容易に納めることができる。
【００１７】
また、本発明に係る地ベラセットは、小ベラのヘラ板の側部に、上記地ベラのヘラ板の側部を係入させる切り欠き溝が形成されてなることが好ましい。
【００１８】
かかる構成によれば、上記小ベラの切り欠き溝に地ベラのヘラ板の側部を係入させることにより、部屋の壁際等の角隅部であっても、溝状の箇所の入隅部に施工される壁紙を押さえることが可能となる。
【００１９】
また、本発明に係る地ベラセットは、上記小ベラのヘラ板が、上端部から下端部に向かって幅が広がるように形成されてなることが好ましい。
【００２０】
かかる構成によれば、上記小ベラの下端部が側方に突出した形状となるので、部屋の壁際等の角隅部であっても、溝状の箇所の入隅部に施工される壁紙を押さえることが可能となる。
また、ヘラ板に比して、厚みが厚い把握部の幅を狭くすることができ、小ベラの取り回しが容易となる。
【００２１】
また、本発明に係る地ベラセットは、小ベラの把握部の厚みが、上記挿通口の高さより厚いことが好ましい。
【００２２】
かかる構成によれば、地ベラの挿通口に小ベラのヘラ板を挿入している状態で、小ベラから手を離しても、小ベラの把握部が挿通口に引っ掛かるので、小ベラが、地ベラの挿通口を通過して落下することを防止できる。
【発明の効果】
【００２３】
本発明によれば、通常の地ベラとして使用でき、且つ、目透かし部や目地部等の溝状の箇所に壁紙を施工する際に、一方の入隅部に施工される壁紙を押さえると同時に、挿通口から他方の入隅部に施工される壁紙を押さえることを可能とする地ベラセットを提供することができる。
【図面の簡単な説明】
【００２４】
【図１】（ａ）は、本発明の地ベラセットを構成する地ベラの平面図であり、（ｂ）は、本発明の地ベラセットを構成する小ベラの平面図である。
【図２】本発明の地ベラセットを用いて目地部の壁紙を施工する状態を示す縦断面図である。
【図３】本発明の地ベラセットを構成する地ベラの縦断面図である。
【図４】本発明の地ベラセットを構成する地ベラの寸法を表す平面図である。
【図５】本発明の地ベラセットを構成する地ベラの寸法を表す平面図である。
【図６】（ａ）は、本発明の地ベラセットを構成する小ベラの寸法を表す平面図であり、（ｂ）は、縦断面図である。
【図７】（ａ）は、切り欠き部を設けた小ベラを用いた施工状態を示す図であり、（ｂ）は、切り欠き部の無い小ベラを用いた施工状態を示す図である。
【図８】本発明の地ベラセットを構成する小ベラの寸法を表す平面図である。
【図９】本発明の地ベラセットを構成する小ベラの他の例を示す平面図である。
【図１０】本発明の地ベラセットを構成する小ベラの他の例を示す平面図である。
【図１１】本発明の地ベラセットを構成する小ベラの他の例を示す平面図である。
【図１２】本発明の地ベラセットを構成する小ベラの他の例を示す平面図である。
【図１３】従来の地ベラを用いた壁紙の施工状態を示す縦断面図である。
【発明を実施するための形態】
【００２５】
以下、本発明の好ましい実施形態について、図面を参照しつつ説明する。なお、各図において、各部材又は各部の長さ、厚み、及び大きさは、実際のものとは異なっていることに留意されたい。
【００２６】
図１は、本実施形態の地ベラセットの平面図であり、図２は、本実施形態の地ベラセットを用いて目地部の壁紙を施工する状態を示す縦断面図である。
図１に示すように、本実施形態の地ベラセットは、図１（ａ）に示される地ベラ１と、図１（ｂ）に示される小ベラ２とから構成される。
図２のように、上記地ベラセットを用いて、下地３に形成された目地部４上に壁紙５を施工する場合、まず、地ベラ１のヘラ板１２により、一方の入隅部４ａに施工される壁紙５ａを押さえる。
ここで、図１及び図２に示すように、地ベラ１には挿通口１３が設けられている。このため、挿通口１３から小ベラ２のヘラ板２２を挿入することにより、地ベラ１により一方の入隅部４ａを覆う壁紙５ａを押さえながら、同時に、小ベラ２により他方の入隅部４ｂを覆う壁紙５ｂを押さえることが可能となる。
このため、小ベラ２は、挿通口１３によって地ベラ１に対して適切な位置を保った状態で一方の入隅部４ａを覆う壁紙５ａを押さえることができる。また、地ベラ１と小ベラ２は、挿通口１３を支点として操作することもできるので、目地部４の広さや深さなどに応じて多様な操作を行うことができる。加えて、小ベラ２は、地ベラ１とは、独立的に操作することも出来るので、容易に他方の入隅部４ｂを覆う壁紙５ｂが浮き上がることを防止することができる。また、地ベラ１と小ベラ２とを独立的に操作することによって、地ベラ１と小ベラ２の位置関係や各々に掛かる力の配分を自在に行うことができ、様々な形状の目地部４に対して壁紙５を容易にかつムラ無く施工することができる。
【００２７】
また、地ベラ１は、通常の地ベラとしての形状を備えており、平面等の形状の下地に壁紙を施工する際にも使用することができるので、施工者は、平面部と目地部とで道具を換える必要が無くなり、部屋全体の施工作業の効率が高くなる。加えて、目地部等の溝状の部分に用いる道具と、平面等の部分に用いる道具とを両方持つ必要がなくなり、施工者の道具の搬送や作業時の体の負担を軽減することができる。
【００２８】
［地ベラ］
図１（ａ）は、本発明の地ベラセットを構成する地ベラ１の平面図である。地ベラ１は、把握部１１及び、ヘラ板１２を備えている。
【００２９】
把握部１１は、その下部１１ａでヘラ板１２を挟持し、且つ、施工者が上部１１ｂを把握して扱うことにより、施工作業を行う部材である。
【００３０】
図１（ａ）に示されるように、本実施形態において、把握部１１は、上部１１ｂが細長い板状に形成されており、下部１１ａが横長の板状に形成されている。上部１１ｂには、引っ掛け穴１１ｃが形成されており、地ベラ１を使用しない場合は、この引っ掛け穴１１ｃを壁面から突出した釘などに引っ掛けることにより収納することができる。
【００３１】
図３は、地ベラ１の縦断面図である。図３に示すように、本実施形態の地ベラ１は、下部１１ａにヘラ板１２を挿入して挟持するための溝１１ｄが設けられている。ヘラ板１２は、溝１１ｄに挿入され、下部１１ａとヘラ板１２とを貫通するように設けられた留め具１４で固定されている。
【００３２】
図４に、本実施形態の地ベラの把握部１１の寸法を示す。上部１１ｂの長さＬ１１１は、上部１１ｂの頂点１１ｅと、付根１１ｆとの距離である。
上記長さＬ１１１は、５０〜１６０ｍｍであることが好ましい。７０〜１５０ｍｍがより好ましく、９０〜１３０ｍｍがさらに好ましい。
上記長さＬ１１１が余りに長いと、扱い難くなり、施工作業が困難になるおそれがある。また、上記長さＬ１１１が余りに短いと、施工者が握り難くなり、施工作業が困難になるおそれがある。
【００３３】
上部１１ｂの幅Ｌ１１２は、２０〜７０ｍｍであることが好ましい。２５〜６０ｍｍがより好ましく、３０〜５０ｍｍがさらに好ましい。
上記幅Ｌ１１２が余りに広いと、施工者が握り難くなるおそれがある。Ｌ１１２が余りに狭いと、地ベラ１を固定するために強い握力が要求され、施工者の手が疲労するおそれがあり、且つ、上部１１ｂの強度が弱くなり、耐久性に劣るおそれがある。
【００３４】
把握部下部１１ａの長さＬ１１３は、把握部下部１１ａの裾の両端部１１ｇ，１１ｇの距離である。上記長さＬ１１３は、１５０〜４５０ｍｍが好ましい。２００〜４００ｍｍがより好ましく、２３０〜３２０ｍｍがさらに好ましい。
上記長さＬ１１３が余りに長いと、取り回し難くなり、施工作業が困難になるおそれがある。また、上記長さＬ１１３が余りに短いと、一度に押さえることが可能な壁紙の長さが短くなるため、押さえる回数が増加し、施工作業が煩雑になるおそれがある。
【００３５】
上記把握部１１を形成する材質としては、施工作業に必要な強度を備え、軽量であれば特に限定されないが、例えば、木材、塩化ビニル樹脂、アクリル樹脂、ＡＢＳ樹脂等が挙げられる。
【００３６】
［ヘラ板］
ヘラ板１２は、地ベラ１の下方に設けられ、壁紙を押さえて施工する部材である。図１（ａ）に示すように、本実施形態の地ベラ１では、ヘラ板１２は、平面視台形状に設けられている。また、ヘラ板１２には、小ベラ２のヘラ板２２を挿入するための挿通口１３が設けられている。
【００３７】
図１（ａ）に示すように、本実施形態において、上記挿通口１３は、ヘラ板１２の長手方向に、矩形状に設けられている。このような構成とすることで、小ベラ２を、挿通口１３に沿って、ヘラ板１２の長手方向に移動させることができ、地ベラ１で押さえている一方の入隅部と異なる、他方の入隅部に施工される壁紙を効率良く押さえることにより、目透かし部や目地部等の溝状の箇所の壁紙の浮き上がりを納めて施工することが容易となる。
【００３８】
図５に、本実施形態の地ベラのヘラ板１２の寸法を示す。ヘラ板１２の上端部１２ａの長さＬ１２１は、上記把握部下部１１ａの長さＬ１１３と同一であることが好ましい。具体的には、Ｌ１２１は、１５０〜４５０ｍｍであることが好ましい。２００〜４００ｍｍがより好ましく、２３０〜３２０ｍｍがさらに好ましい。
上記長さＬ１２１が余りに長いと、取り回し難くなり、施工作業が困難になるおそれがある。また、上記長さＬ１２１が余りに短いと、一度に押さえることが可能な壁紙の長さが短くなるため、押さえる回数が増加し、施工作業が煩雑になるおそれがある。
【００３９】
ヘラ板１２の下端部１２ｂの長さＬ１２２は、ヘラ板１２の下端部１２ｂの両端部１２ｃ，１２ｃの距離である。上記Ｌ１２２は、１６０〜４７０ｍｍであることが好ましい。２１０〜４２０ｍｍがより好ましく、２４０〜３３０ｍｍがさらに好ましい。
上記長さＬ１２２が余りに長いと、取り回し難くなり、施工作業が困難になるおそれがある。また、上記長さＬ１２１が余りに短いと、一度に押さえることが可能な壁紙の長さが短くなるため、押さえる回数が増加し、施工作業が煩雑になるおそれがある。
【００４０】
ヘラ板１２の高さＬ１２３は、ヘラ板１２の上端部１２ａと、下端部１２ｂとの距離である。上記高さＬ１２３は、１０〜１００ｍｍであることが好ましい。２５〜８０ｍｍがより好ましく、４０〜６０ｍｍがさらに好ましい。
上記高さＬ１２３が余りに高いと、ヘラ板の強度を低下させるおそれがある。また、上記高さＬ１２３が余りに低いと、目透かし部や目地部等の溝状の箇所の入隅部に届かず、壁紙を押さえることができないおそれがある。
【００４１】
ヘラ板１２の厚みは、壁紙５を施工することができれば特に限定されないが、０．４〜１ｍｍが好ましく、０．４〜０．５ｍｍがより好ましい。
上記ヘラ板１２の厚みが厚すぎると、図２の入隅部４ａに施工される壁紙５ａを押さえ難くなるおそれがある。薄すぎると、ヘラ板１２の強度が弱くなり、壁紙５を押さえるとヘラ板１２が曲がったり、折れたりするおそれがある。
【００４２】
挿通口１３の高さＬ１３１は、挿通口１３の上端部１３ａと、下端部１３ｂとの距離である。上記高さＬ１３１は、３〜３０ｍｍであることが好ましい。５〜２５ｍｍがより好ましく、７〜２０ｍｍがさらに好ましい。
上記高さＬ１３１が余りに高いと、ヘラ板の強度を低下させるおそれがある。また、上記高さＬ１３１が余りに低いと、挿入した小ベラのヘラ板の動きの自由度を制限し、施工作業が行い難くなるおそれがある。
【００４３】
挿通口１３の幅Ｌ１３２は、挿通口１３の下端部１３ｂの両端部１３ｃ，１３ｃの距離である。上記幅Ｌ１３２は、１００〜４００ｍｍであることが好ましい。１５０〜３５０ｍｍがより好ましく、１８０〜２７０ｍｍがさらに好ましい。
上記幅Ｌ１３２が余りに広いと、ヘラ板の強度を低下させるおそれがある。また、上記幅Ｌ１３２が余りに狭いと、挿入した小ベラ２のヘラ板２２の可動範囲が狭くなり、壁紙を十分に押さえられないおそれがある。
【００４４】
挿通口１３の下端部１３ｂと、ヘラ板１２の下端部１２ｂとの距離Ｌ１２５は、挿通口１３の高さＬ１３１や、幅Ｌ１３２に応じて適宜設定されるが、３〜２５ｍｍであることが好ましい。４〜１５ｍｍがより好ましく、５〜１０ｍｍがさらに好ましい。
【００４５】
ヘラ板１２を形成する材質としては、施工作業に必要な強度を備え、軽量であれば特に限定されないが、例えば、ステンレス等が挙げられる。
【００４６】
［小ベラ］
小ベラ２は、そのヘラ板２２が地ベラ１の挿通口１３に挿入され、図２のように、地ベラ１により一方の入隅部１４ａに施工される壁紙１３ａを押さえながら、同時に、小ベラ２により他方の入隅部１４ｂに施工される壁紙１３ｂを押さえることを可能とするものである。
【００４７】
図１（ｂ）は、本実施形態の地ベラセットを構成する小ベラ２の平面図である。小ベラ２は、把握部２１及び、ヘラ板２２を備えている。
【００４８】
小ベラ２の把握部２１の材質としては特に限定されず、上記地ベラ１の把握部１１と同様のものを用いることができる。
【００４９】
図６に、本実施形態の地ベラセットを構成する小ベラ２の把握部２１の寸法を示す。図６（ａ）は、本実施形態における小ベラの平面図である。
上部２１ｂの長さＬ２１１は、上部２１ｂの頂点２１ｅと、付根２１ｆとの距離である。
上記長さＬ２１１は、５０〜１６０ｍｍであることが好ましい。７０〜１５０ｍｍがより好ましく、９０〜１３０ｍｍがさらに好ましい。
上記長さＬ２１１が余りに長いと、扱い難くなり、施工作業が困難になるおそれがある。また、上記長さＬ２１１が余りに短いと、施工者が握り難くなり、施工作業が困難になるおそれがある。
【００５０】
上部２１ｂの幅Ｌ２１２は、２０〜７０ｍｍであることが好ましい。２５〜６０ｍｍがより好ましく、３０〜５０ｍｍがさらに好ましい。
上記幅Ｌ２１２が余りに広いと、施工者が握り難くなるおそれがある。Ｌ２１２が余りに狭いと、小ベラ２を固定するために強い握力が要求され、施工者の手が疲労するおそれがあり、且つ、上部２１ｂの強度が弱くなり、耐久性に劣るおそれがある。
【００５１】
把握部下部２１ａの長さＬ２１３は、把握部下部２１ａの裾の両端部２１ｇ，２１ｇの距離である。上記長さＬ２１３は、５０〜２００ｍｍが好ましい。８０〜１８０ｍｍがより好ましく、１００〜１５０ｍｍがさらに好ましい。
上記長さＬ２１３が余りに長いと、地ベラ１の挿通口１３に挿入し難くなり、施工作業が困難になるおそれがある。また、上記長さＬ２１３が余りに短いと、一度に押さえることが可能な壁紙の長さが短くなるため、押さえる回数が増加し、施工作業が煩雑になるおそれがある。
【００５２】
図６（ｂ）は、本実施形態における小ベラの縦断面図である。小ベラ２の把握部２１の厚みＴ２１は、引っ掛け穴２１ｃを形成する部材を除いた、把握部２１の最も厚い部分の厚みである。上記Ｔ２１は、把握部２１が地ベラ１の挿通口１３の高さＬ１３１より厚いことが好ましい。上記構成であると、作業中に施工者が小ベラ２の把握部２１から手を放しても、小ベラ２の把握部２１が、地ベラ１の挿通口１３を通過しないので、小ベラ２が挿通口１３を通って落下するのを防止することができる。
具体的には、上記厚みＴ２１は、５〜３２ｍｍであることが好ましい。７〜２７ｍｍがより好ましく、９〜２２ｍｍがさらに好ましい。
上記厚みＴ２１が余りに厚いと、握り難くなり、施工者が施工し難くなるおそれがある。また、上記厚みＴ２１が余りに薄いと、小ベラ２の把握部２１が、地ベラ１の挿通口１３を通過し、小ベラ２が落下するおそれがある。
【００５３】
小ベラ２のヘラ板２２は、小ベラ２の下方に設けられ、地ベラ１の挿通口１３に挿入して壁紙５を押さえる部材である。本実施形態の小ベラ２のヘラ板２２は、図１（ｂ）に示すように、平面視台形状に設けられている。また、ヘラ板２２には、側部２２ａに地ベラ１のヘラ板１２の側部１２ｄを係入させる切り欠き溝２３が形成されている。
【００５４】
図７は、地ベラ１の挿通口１３に小ベラ２のヘラ板２２を挿入し、部屋の下地材３の壁際の角隅部３ａ付近の壁紙５を施工する状態を表す図である。図７（ａ）に示すように、小ベラ２の側部２２ａに切り欠き溝２３が形成されているので、地ベラ１のヘラ板１２の側部１２ｄを係入させることができる。これにより、地ベラ１のヘラ板１２の角端部１２ｅで下地材３の角隅部３ａ付近に施工される壁紙５を押さえると同時に、小ベラ２のヘラ板２２の角端部２２ｂでも、当該入隅部３ａ付近に施工される壁紙５を押さえることが可能となる。
このため、上記構成によれば、部屋の下地材３の壁際の角隅部３ａ付近であっても、目透かし部や目地部等の溝状の箇所の両側の入隅部に施工される壁紙５を同時に押さえることが可能となる。
一方、図７（ｂ）のように、切り欠き溝２３が形成されていない場合、地ベラ１のヘラ板１２の角端部１２ｅで下地材３の入隅部３ａ付近の壁紙５を押さえると、地ベラ１の側部１２ｄが障害となって小ベラ２のヘラ板２２で、同時に当該入隅部３ａ付近の壁紙５を押さえることができない。
【００５５】
小ベラ２のヘラ板２２の材質は特に限定されず、上記地ベラ１のヘラ板１２と同様のものを用いることができる。
【００５６】
図８に、本実施形態の小ベラ２のヘラ板２２の寸法を示す。ヘラ板２２の上端部２２ｄの長さＬ２２１は、上記小ベラの把握部下部２１ａの長さＬ２１３と、同一であることが好ましい。具体的には、Ｌ２２１は、５０〜２００ｍｍであることが好ましい。８０〜１８０ｍｍがより好ましく、１００〜１５０ｍｍがさらに好ましい。
上記長さＬ２２１が余りに長いと、取り回し難くなり、施工作業が困難になるおそれがある。また、上記長さＬ１２１が余りに短いと、一度に押さえることが可能な壁紙の長さが短くなるため、押さえる回数が増加し、施工作業が煩雑になるおそれがある。
【００５７】
小ベラ２のヘラ板２２の下部２２ｃの長さＬ２２２は、小ベラ２のヘラ板２２の下部２２ｃの両端部２２ｂ，２２ｂの距離である。上記Ｌ２２２は、６０〜２１０ｍｍであることが好ましい。９０〜２００ｍｍがより好ましく、１１０〜１６０ｍｍがさらに好ましい。
上記長さＬ２２２が余りに長いと、取り回し難くなり、施工作業が困難になるおそれがある。また、上記長さＬ２２２が余りに短いと、一度に押さえることが可能な壁紙の長さが短くなるため、押さえる回数が増加し、施工作業が煩雑になるおそれがある。
【００５８】
小ベラ２のヘラ板２２の高さＬ２２３は、ヘラ板２２の上端部２２ｄと、下端部２２ｃとの距離である。上記高さＬ２２３は、１０〜１００ｍｍであることが好ましい。２５〜８０ｍｍがより好ましく、４０〜６０ｍｍがさらに好ましい。
上記高さＬ２２３が余りに高いと、ヘラ板２２の強度を低下させるおそれがある。また、上記高さＬ２２３が余りに低いと、目透かし部や目地部等の溝状の箇所の入隅部に届かず、壁紙を押さえることができないおそれがある。
【００５９】
小ベラのヘラ板２２の厚みは、壁紙５を施工することができれば特に限定されないが、０．４〜１ｍｍが好ましく、０．４〜０．５ｍｍがより好ましい。
上記小ベラのヘラ板２２の厚みが厚すぎると、図２の入隅部４ｂに施工される壁紙５ｂを押さえ難くなるおそれがある。薄すぎると、小ベラのヘラ板２２の強度が弱くなり、壁紙５を押さえると小ベラのヘラ板２２が曲がったり、折れたりするおそれがある。
【００６０】
切り欠き溝２３の高さＬ２３１は、１〜１０ｍｍであることが好ましい。２〜７ｍｍがより好ましく、２〜４ｍｍがさらに好ましい。
上記高さＬ２３１が余りに高いと、小ベラ２のヘラ板２２の強度を低下させるおそれがある。また、上記高さＬ２３１が余りに低いと、地ベラ１のヘラ板１２の側部１２ｄを係入し難くなるおそれがある。
【００６１】
図８に示される切り欠き溝２３の幅Ｌ２３２は、図５に示される地ベラ１のヘラ板１２の側部１２ｄの幅Ｌ１２４より長いことが好ましい。ここで、上記幅Ｌ１２４は、図５に示すように、挿通口１３の下端部１３ｂの端部１３ｃから、ヘラ板１２の下端部１２ｂへ引いた垂線が１２ｂと交わる点を１２ｆとした場合に、上記１２ｆと、１２ｂの端部１２ｃとの距離で表される。
上記幅Ｌ１２４は、具体的には、１５〜５０ｍｍがより好ましく、２５〜４０ｍｍがさらに好ましい。
上記幅Ｌ２３２が余りに広いと、小ベラ２のヘラ板１２の強度を低下させるおそれがある。また、上記幅Ｌ２３２が余りに狭いと、地ベラ１のヘラ板１２の側部１２ｄへ十分に係入することができず、部屋の下地材３の壁際の角隅部３ａ付近において、目透かし部や目地部等の溝状の箇所の両側の入隅部に施工される壁紙５を同時に押さえることができないおそれがある。
【００６２】
切り欠き溝２３の下端部２３ａと、小ベラ２のヘラ板２２の下部２２ｃとの距離Ｌ２２４は、切り欠き溝２３の高さＬ２３１や、幅Ｌ２３２に応じて適宜設定されるが、３〜２５ｍｍであることが好ましい。４〜１５ｍｍがより好ましく、５〜１０ｍｍがさらに好ましい。
【００６３】
なお、本発明は上記の実施形態に限らず、種々の変更・変形が可能である。
【００６４】
例えば、上記の実施形態では、小ベラ２の切り欠き溝２３が、ヘラ板２２の片側の側部にのみ設けられている例を示したが、これに限らず、図９に示すように、両側に設けられている構成としてもよい。このような構成とすることで、小ベラ２を１８０度反転させずとも地ベラ１の両側の側部１２ｄに切り欠き溝２３を係入させることができる。
【００６５】
また、上記の実施形態では、小ベラ２のヘラ板２２の形状が、図８のように平面視台形状である例を示したが、これに限らず、図１０（ａ）に示すように、ヘラ板２２の下部２２ｃが、一方の側方に突出した形状であってもよい。このような構成のヘラ板２２を地ベラ１の挿通口１３に挿入することで、小ベラ２のヘラ板２２の強度を損なわずに、部屋の角隅部３ａ付近の溝状の箇所の、両側の入隅部に施工される壁紙５を同時に押さえることが可能となる。
また、図１０（ｂ）に示すように、ヘラ板２２の下部２２ｃが、左右両側の側方に突出した形状とすることもでき、図１１に示すように、ヘラ板２２の下部２２ｃが、一方の側方に突出し、他方に切り欠き溝２３を設けた形状とすることも可能である。
【００６６】
また、上記の実施形態では、図６（ａ）のように、小ベラ２の把握部２１の上部２１ｂが細長い板状に形成されており、下部２１ａが横長の板状に形成されている例を示したが、図１２に示すように、上部２１ｂと下部２１ａとの幅が同一であり、小ベラのヘラ板２２の上端部２２ｄから、下端部２２ｃに向かって幅が広がるように形成されていてもよい。上記構成とすることで、ヘラ板２２に比して厚みが厚い把握部２１の幅を狭くすることができ、小ベラ２の取り回しが容易となる。
【産業上の利用可能性】
【００６７】
本発明の地ベラセットは、住宅やビル、マンション等の建築物の壁面の施工に使用される。
【符号の説明】
【００６８】
１…地ベラ、１１…把握部、１１ａ…把握部下部、１１ｂ…把握部上部、１１ｃ…引っ掛け穴、１１ｄ…溝、１１ｅ…把握部上部の頂点、１１ｆ…把握部上部の付根、１１ｇ…把握部下部の裾の両端部、１２…地ベラのヘラ板、１２ｄ…地ベラのヘラ板の側部、１３…挿通口、１３ａ…挿通口の上端部、１３ｂ…挿通口の下端部、１３ｃ…挿通口の下端部の両端部、１４…留め具、２…小ベラ、２１…小ベラの把握部、２１ａ…小ベラの把握部下部、２１ｂ…小ベラの把握部上部、２１ｅ…小ベラの把握部上部の頂点、２１ｆ…小ベラの把握部上部の頂点付根、２１ｇ…小ベラの把握部下部の裾の両端部、２２…小ベラのヘラ板、２２ａ…小ベラのヘラ板の側部、２２ｂ…小ベラのヘラ板の角端部、２２ｃ…小ベラのヘラ板の下端部、２２ｄ…小ベラのヘラ板の上端部、２３…切り欠き部、３…下地、４…目地部、４ａ…目地部の一方の入隅部、４ｂ…目地部の他方の入隅部、５…壁紙、５ａ…目地部の一方の入隅部を覆う壁紙、５ｂ…目地部の他方の入隅部を覆う壁紙、Ｔ２１…小ベラの把握部の厚み、１０１…従来の地ベラ、１０２…従来の地ベラのヘラ板、１０３…壁紙、１０３ａ…目地部の一方の入隅部を覆う壁紙、１０３ｂ…目地部の他方の入隅部を覆う壁紙、１０４…目地部、１０４ａ…目地部の一方の入隅部、１０４ｂ…目地部の他方の入隅部
【図１】
0005743702.tif 000002
【図２】
0005743702.tif 000003
【図３】
0005743702.tif 000004
【図４】
0005743702.tif 000005
【図５】
0005743702.tif 000006
【図６】
0005743702.tif 000007
【図７】
0005743702.tif 000008
【図８】
0005743702.tif 000009
【図９】
0005743702.tif 000010
【図１０】
0005743702.tif 000011
【図１１】
0005743702.tif 000012
【図１２】
0005743702.tif 000013
【図１３】
0005743702.tif 000014